(57)【要約】      （修正有）【課題】地震、津波等の災害時に、店舗、倉庫、一般家屋等の建物内において、本棚や商品収容棚などのラックが倒れることを有効に防止できると共に、仮に地震などの災害時に物品収容棚から物品が転がり落ち又は滑り落ちた場合でも当該物品が損壊されることを防止できる災害時における建物内の物品の落下又は倒壊・損壊防止装置を提供する。【解決手段】建物内に存在する物品を収容又は配置するラック２と建物内の他の部材との間の空間に、操作者の操作により又はセンサからの信号により作動してエアバッグ４ｃを膨張させるエアバッグ装置４を設置又は配置して成る装置で、建物内に存在する物品を収容又は配置するラックの下方の建物床部分の上に、操作者の操作により又はセンサからの信号により作動して、前記ラックの前方に向けて前記床の平面に沿ってエアバッグを膨張させるエアバッグ装置を設置又は配置して成る。【選択図】図１
0003223665.tif 000002
【実用新案登録請求の範囲】
【請求項１】
建物内に存在する物品を収容又は配置するラック及び建物内の他の部材のいずれかに、操作者の操作により作動して又はセンサからの信号に基づいて自動的に作動してエアバッグを膨張させるエアバッグ装置を設置又は配置して成ることを特徴とする災害時における建物内の物品の落下又は倒壊・損壊防止装置。
【請求項２】
建物内に存在する物品を収容又は配置するラックの上方に在る建物天井部分に、前記ラック又は前記ラック間の方向に向けてエアバッグを膨張させるエアバッグ装置が設置又は配置されていることを特徴とする、請求項１に記載の災害時における建物内の物品の落下又は倒壊・損壊防止装置。
【請求項３】
建物内に存在する物品を収容又は配置するラックの側方部分に、前記ラックの近傍の他のラックの方向に向けてエアバッグを膨張させるエアバッグ装置が設置又は配置されていることを特徴とする、請求項１に記載の災害時における建物内の物品の落下又は倒壊・損壊防止装置。
【請求項４】
建物内に存在する物品を収容又は配置するラックの下方の建物床部分の上に、操作者の操作により作動して又はセンサからの信号に基づいて自動的に作動してエアバッグを前記ラックの前方に向けて前記床の平面に沿って膨張させるエアバッグ装置を設置又は配置して成ることを特徴とする災害時における建物内の物品の落下又は倒壊・損壊防止装置。
【考案の詳細な説明】
【技術分野】
【０００１】
本考案は、地震、津波、河川氾濫、台風等の災害時における、店舗、倉庫、一般家屋等の建物内の製品・商品その他の物品の落下又は倒壊を防止するための装置に関する。
【背景技術】
【０００２】
近年、地震、津波、河川氾濫、台風等の災害が多発する中で、店舗、倉庫、一般家屋等でのラック（棚）などに配置された製品・商品その他の物品が落下したり倒壊することによる、人身事故、経済的損失が大きな問題となっている。このような災害時における店舗・倉庫等での製品・商品その他の物品の落下又は倒壊の被害に関しては、従来より、様々な落下・倒壊等の防止装置が提案されている。例えば、特許文献１は、本棚などの物品収容棚の各棚板の手前側にそれぞれ、地震の揺れを振動センサー等で感知しこの感知信号に基づいて制御部が自動的にストッパ部材を上方に突出させるようにし、これにより物品が棚板から滑り落ちることを防止する感震式物品落下防止装置を提案している。
【先行技術文献】
【特許文献】
【０００３】
【特許文献１】特開２０１４−６８９９７号公報
【考案の概要】
【考案が解決しようとする課題】
【０００４】
上記の特許文献１などを初めとする従来の提案に係る物品落下等防止装置は、いずれも、地震などの災害時に物品収納棚が倒れないことを前提として、そのような倒れない物品収容棚から物品が転がり落ち又は滑り落ちることを防止するものであったが、地震などの災害時において物品収納棚それ自体が倒れてしまう場合には意味がなく無力なものでしかなかった。
【０００５】
また、上記の特許文献１などを初めとする従来の提案に係る物品落下等防止装置は、いずれも、地震などの災害時に物品収容棚から物品が転がり落ち又は滑り落ちることを防止することだけを目的とするものであるから、地震などの災害時に物品収容棚から物品が実際に転がり落ち又は滑り落ちた場合でも当該転がり落ち又は滑り落ちた物品が損壊されないようにすることはできなかった。
【０００６】
本考案はこのような従来技術の課題に着目してなされたものであって、地震、津波、河川氾濫、台風等の災害時に、店舗、倉庫、一般家屋等の建物内において、本棚や商品収容棚などのラック（棚）が倒れることそれ自体を有効に防止し、これにより災害時における前記ラック（棚）に配置された製品・商品その他の物品の落下又は倒壊を防止することができる、災害時における建物内の物品の落下又は倒壊・損壊防止装置を提供することを目的とする。
【０００７】
また、本考案は、もし地震などの災害時に物品収容棚から物品が転がり落ち又は滑り落ちた場合でも、当該転がり落ち又は滑り落ちた物品が損壊されないようにすることができる、災害時における建物内の物品の落下又は倒壊・損壊防止装置を提供することをも目的とする。
【課題を解決するための手段】
【０００８】
以上のような課題を解決するための本考案による災害時における建物内の物品の落下又は倒壊・損壊防止装置は、建物内に存在する物品を収容又は配置するラックと建物内の他の部材との間の空間に、操作者の操作により作動して又はセンサからの信号に基づいて自動的に作動してエアバッグを膨張させるエアバッグ装置を設置又は配置して成るものである。
【０００９】
また、本考案においては、建物内に存在する物品を収容又は配置するラックの上方に在る建物天井部分に、前記ラック又は前記ラック間の方向に向けてエアバッグを膨張させるエアバッグ装置を設置又は配置するようにしてもよい。
【００１０】
また、本考案においては、建物内に存在する物品を収容又は配置するラックの側方部分に、前記ラックの近傍の他のラックの方向に向けてエアバッグを膨張させるエアバッグ装置を設置又は配置するようにしてもよい。
【００１１】
さらに、本考案による災害時における建物内の物品の落下又は倒壊・損壊防止装置は、建物内に存在する物品を収容又は配置するラックの下方の建物床部分の上に、操作者の操作により作動して又はセンサからの信号に基づいて自動的に作動してエアバッグを前記ラックの前方に向けて前記床の平面に沿って膨張させるエアバッグ装置を設置又は配置して成ることを特徴とするものである。
【考案の効果】
【００１２】
本考案では、建物内に存在する物品を収容又は配置するラック（物品の配置棚）と建物内の他の部材（建物の天井、他のラックなど）との間にエアバッグ装置を設置又は配置するようにしたので、地震、津波等の災害時には、前記エアバッグ装置から膨張したエアバッグの存在により前記ラックが前記他の部材に対して固定されるようになり、その結果、前記ラックが倒れることそれ自体が有効に防止されて、地震等の災害時において前記ラックに配置された物品の落下又は倒壊が極めて効果的に防止されるようになる。
【００１３】
また、本考案において、特に、建物内に存在する物品を収容又は配置するラックの上方に在る建物天井部分に前記ラックの方向に向けて膨張するエアバッグ装置を設置又は配置するようにしたときは、地震等の災害時に前記エアバッグ装置から膨張したエアバッグにより前記ラックを前記天井や他のラックに対し固定することができるので、前記ラックが倒れることを有効に防止することができる。
【００１４】
また、本考案において、特に、建物内に存在する物品を収容又は配置するラックの側方部分に、前記ラックの近傍の他のラックの方向に向けて膨張するエアバッグ装置を設置又は配置するようにしたときは、前記側方部分側から膨張するエアバッグにより前記ラックを他のラックに対して固定することができるので、前記ラックが倒れることを有効に防止することができる。
【００１５】
さらに、本考案では、建物内に存在する物品を収容又は配置するラックの下方の建物床部分の上に、前記ラックの前方に向けて前記床の平面に沿って膨張するエアバッグを設置又は配置するようにしたので、前記ラックから転げ落ち又は滑り落ちた物品は、前記ラックの下方の建物床部分側から膨張するエアバッグの上に落下するようになり、その結果、前記ラックに配置された物品が前記ラックから転げ落ち又は滑り落ちて落下した場合でも、当該転がり落ち又は滑り落ちた物品が損壊されてしまうことを有効に防止できるようになる。
【００１６】
なお、本考案において、前記エアバッグ装置を、地震等を検知する振動センサや衝撃センサなどの検知手段からの信号によることなく、操作者のスイッチ操作により作動させるようにしたときは、操作者が現場で他の人間、例えば顧客、作業者が前記ラックの周囲に居ないことを確認した上で前記エアバッグ装置を起動させられるようになる。
【００１７】
また、本考案において、前記エアバッグ装置を、エアバッグが膨張した後に当該エアバッグの内部のガスが徐々に抜けて徐々に縮小していくように構成したときは、災害が去った後の現場の復旧作業を迅速に開始できるようになる。
【図面の簡単な説明】
【００１８】
【図１】本考案の実施形態１による災害時における建物内の物品の落下又は倒壊・損壊防止装置の構成及び動作を説明するための概略図である。
【図２】本考案の実施形態２による災害時における建物内の物品の落下又は倒壊・損壊防止装置建物内の物品の落下又は倒壊・損壊防止装置の構成及び動作を説明するための概略図である。
【図３】本考案の実施形態２におけるエアバッグ装置の設置位置を説明するためのラック等を示す概略図である。
【図４】本考案の実施形態３による災害時における建物内の物品の落下又は倒壊・損壊防止装置の構成及び動作を説明するための概略図である。
【考案を実施するための形態】
【００１９】
〔実施形態１〕  
以下、図１を参照して本考案の実施形態１に係る災害時における建物内の物品の落下又は倒壊・損壊防止装置について説明する。図１において、１は倉庫の床面、２はラック（商品配置棚)、３は倉庫（建物）の天井部分である。倉庫内においては、複数のラック２が、互いに所定の間隔を介して並ぶように前記床面１上にそれぞれ立てられている。前記各ラック２の間の床面及び空間は、作業者らが商品積み出し等の作業を行う通路として使用されている。
【００２０】
また、本実施形態１では、図１（ａ）に示すように、前記各ラック２の間の上方の天井部分にエアバッグ装置４がそれぞれ設置されている。このエアバッグ装置４は、従来より自動車のハンドルなどに内蔵されている公知のエアバッグ装置とほぼ同じ構成のもので、コントローラ４ａ、ガス発生部(インフレータ)４ｂ、前記ガス発生部４ｂからのガスにより瞬時に膨張するエアバッグ（緩衝袋）４ｃなどを備えている。前記エアバッグ４ｃは、自動車分野などにおいて既に公知の方法により、予め所定方向（本実施形態１では前記天井３の下方の各ラック２の間の空間に向かう方向）に向けて膨張するように構成されている。
【００２１】
前記コントローラ４ａは、倉庫の内壁等に設置されたスイッチ５を操作者（作業者）が操作して無線送信した作動信号を受信したとき、又は前記エアバッグ装置４に内蔵されている振動（衝撃）センサ４ｄなどの複数のセンサからの信号を受信したとき、前記ガス発生部(インフレータ)４ｂを作動させ、前記エアバッグ４ｃを瞬時に膨張させる。これにより、図１（ｂ）に示すように、前記エアバッグ４ｃが瞬時に、前記天井３の下方の各ラック２の間の空間の方向に膨張し（図１（ｂ）の符号４ｃａ参照）、前記各ラック２の間の空間に広がる。
【００２２】
次に本実施形態１の動作を説明する。地震等の災害がない通常の場合は、図１（ａ）に示すように、前記エアバッグ装置４は天井１に設置されたままとなっている。これに対し、地震等の災害が発生したときは、作業者が前記スイッチ５を操作して作動信号（図（ａ）の符号Ａ参照）を無線送信し、これを前記コントローラ４ａが受信する（又は前記コントローラ４ａが前記センサ４ｄからの信号を受信する）。
【００２３】
すると、前記信号を受信したコントローラ４ａは、図１（ｂ）に示すように、前記ガス発生装置４ｂを作動させて、前記エアバッグ４ｃを瞬時に前記天井３の下方の各ラック２の間の空間に向けて、膨張させる。これにより、前記エアバッグ４ｃが前記各ラック２間に広がり、前記各ラック２は前記エアバッグ４ｃにより互いに支えられ、地震などの災害時でも容易に倒壊することが防止される。
【００２４】
このように、本実施形態１では、倉庫内において商品を収容又は配置するラック２の上方の天井２にエアバッグ装置４を設置するようにしたので、地震、津波、河川氾濫、台風等の災害時には、前記エアバッグ装置４から膨張したエアバッグ４ｃにより、前記倉庫内の各ラック（商品収容棚）２が前記天井３や他のラック２に対し固定されるようになるため、前記各ラック２が倒れることそれ自体が有効に防止されるようになり、その結果、地震等の災害時において前記各ラック２に配置された商品の落下や倒壊が極めて効果的に防止されるようになる。
【００２５】
〔実施形態２〕  
次に、図２及び図３を参照して本考案の実施形態２に係る災害時における建物内の物品の落下又は倒壊・損壊防止装置について説明する。なお、本実施形態２は前述した実施形態１と基本的構成は同じであるので、以下では異なる部分についてのみ説明する。
【００２６】
本実施形態２では、エアバッグ装置１４は、図２（ａ）に示すように、各ラック２の、各ラック２が互いに対向する（互いに隣り合う）側面に複数個、設置されている。そして、前記エアバッグ装置１４は、図３に示すように、各ラック２の支柱２ａに取り付けられている。
【００２７】
このように構成された本実施形態２によれば、もし地震等の災害が起こった場合、作業者が前記スイッチ５を操作して作動信号（図２（ａ）の符号Ａ参照）を無線送信することにより（又は振動センサ等からの信号が送信されることにより）、前記エアバッグ装置１４が作動される。すると、前記エアバッグ装置１４は、内蔵するエアバッグを、他の隣り合うラック２に向けて、すなわち他の隣り合うラック２との間の空間を埋めるような方向に、瞬時に膨張させる。これにより、図２（ｂ）に示すように、各ラック２の間の空間には、膨張したエアバッグ１４ｃａが介在するようになるので、各ラック２は互いに固定されるようになり、その結果、地震等の揺れなどがあっても各ラック２は転倒、倒壊することが避けられるようになる。
【００２８】
このように、本実施形態２においては、倉庫内に存在する商品等を収容又は配置するラック２の側方部分に、前記ラック２の近傍の他のラックの方向に向けて膨張するエアバッグ装置１４を設置するようにした。よって、本実施形態２によれば、前記ラック２の側方部分側から膨張するエアバッグ１４ｃａにより前記ラック２を他のラック２に対して固定することができるので、地震等の災害が発生した時でも、前記ラック２が倒れることを有効に防止できるようになる。
【００２９】
〔実施形態３〕  
次に、図４を参照して本考案の実施形態３に係る災害時における建物内の物品の落下又は倒壊・損壊防止装置について説明する。なお、本実施形態３は前述した実施形態１，２と基本的構成は同じであるので、以下では異なる部分についてのみ説明する。
【００３０】
本実施形態３では、エアバッグ装置２４は、図４（ａ）に示すように、各ラック２の下方の床面１上に設置されている。また、本実施形態３では、エアバッグ装置２４は、エアバッグを、前記床面１と略平行な方向に且つラック２の前方（作業者が作業をする通路の方向）に向けて膨張するように構成されている。
【００３１】
このように構成された本実施形態３によれば、もし地震等の災害が起こった場合、作業者が前記スイッチ５を操作して作動信号（図４（ａ）の符号Ａ参照）を無線送信することにより（又は振動センサ等からの信号により）、前記エアバッグ装置２４が作動される。すると、前記エアバッグ装置２４は、内蔵するエアバッグを、前記床面１と略平行な方向に且つ前記ラック２の前方（作業者が作業をする通路方向）に向けて瞬時に膨張させる。これにより、図４（ｂ）に示すように、各ラック２の下方から前方に前記床面１に沿って、前記膨張したエアバッグ２４ｃａが存在するようになるので、もし地震等の揺れなどで各ラック２から商品が落下しても、それらの商品は前記エアバッグ２４ｃａの上に落下するため、前記各商品が損壊されることは有効に防止される。
【００３２】
このように、本実施形態３においては、倉庫内に存在する商品等を収容又は配置するラック２の下方に、前記ラック２の下方から床面１に沿って膨張するエアバッグ装置２４を設置するようにした。よって、本実施形態３によれば、地震等の災害が発生した時には、前記ラック２の下方から床面１に沿ってエアバッグ２４ｃａが膨張されるので、前記ラック２から落下した商品等が損壊されることが有効に防止されるようになる。
【００３３】
以上、本考案の各実施形態について説明したが、本考案及び本考案を構成する各構成要素は、それぞれ、前記の各実施形態１−３として述べたものに限定されるものではなく、様々な修正及び変更が可能である。例えば、前記各実施形態では、主として災害時における倉庫内の商品配置棚の倒壊等防止のために本考案を適用した場合について説明したが、本考案はこれに限定されるものではなく、例えばスーパーマーケットや家電量販店などの店舗における商品陳列棚の倒壊等の防止、一般家庭での食器や書籍等の配置棚の倒壊等の防止など、ラックに配置された様々な物品の落下又は倒壊・損壊防止のために実用化することができる。また、前記各実施形態１−３では、いずれも、３段のラックを例示したが、本考案では、ネスラック（ネステナー）、２段または多数段のラックなどについても同様に適用可能である。さらに、前記各実施形態１−３では、作業者が操作するスイッチ５によらないで自動的にエアバッグ装置４を作動するための振動等の検出信号を前記エアバッグ装置５に内蔵したセンサ４ｄから前記コントローラ４ａに送信するようにしたが、本考案では、前記エアバッグ装置５の外部に設置したセンサからの検出信号を無線等により前記コントローラ４ａに送信するようにしてもよい。
【符号の説明】
【００３４】
１  床面
２  ラック（物品配置棚）
３  天井
４  エアバッグ装置
４ａ  コントローラ
４ｂ  ガス発生部（インフレータ）
４ｃ，４ｃａ  エアバッグ（緩衝袋）
４ｄ  振動（衝撃）センサ
５  スイッチ
Ａ  作動信号（無線信号）
【図１】
0003223665.tif 000003
【図２】
0003223665.tif 000004
【図３】
0003223665.tif 000005
【図４】
0003223665.tif 000006